(57)【要約】【課題】乗員の健康状態を異常と診断した場合に、乗員へ容易に適切な対応を取らせることができる車載装置を提供すること。【解決手段】車両の乗員の健康状態を診断する車載装置へ、車両内で乗員の生体情報を取得する情報取得部と、情報取得部によって取得された生体情報を異常と診断する条件と病名の候補とが対応付けられた病名候補情報を記憶する病名候補記憶部と、情報取得部によって取得された生体情報が満たす前記条件へ対応付けられている病名の候補を病名候補情報から検索して表示装置へ一覧表示させる候補検索部とを設ける。【選択図】図１
2012120597.tif 000002
【特許請求の範囲】
【請求項１】
車両の乗員の健康状態を診断する車載装置であって、
前記車両内で前記乗員の生体情報を取得する情報取得部と、
前記情報取得部によって取得された前記生体情報を異常と診断する条件と病名の候補とが対応付けられた病名候補情報を記憶する病名候補記憶部と、
前記情報取得部によって取得された前記生体情報が満たす前記条件へ対応付けられている病名の候補を前記病名候補情報から検索して表示装置へ一覧表示させる候補検索部と
を備えたことを特徴とする車載装置。
【請求項２】
前記情報取得部によって取得された前記生体情報を記憶する生体情報記憶部
をさらに備え、
前記候補検索部は、
前記情報取得部によって取得された最新の生体情報と前記生体情報記憶部によって記憶されている過去の生体情報とを比較して前記最新の生体情報を異常と判定した場合に、前記病名の候補の検索を行う
ことを特徴とする請求項１に記載の車載装置。
【請求項３】
前記候補検索部は、
前記表示装置へ表示させた前記病名の候補に対応する疾患の可能性を前記情報取得部によって取得された前記生体情報に基づき算出して前記表示装置へ表示させる
ことを特徴とする請求項１または請求項２に記載の車載装置。
【請求項４】
前記病名の候補と前記乗員に対して行う問診の内容とが対応付けられた問診情報を記憶する問診情報記憶部と、
前記候補検索部によって検索された病名の候補に対応付けられている問診の内容を前記問診情報から検索して前記乗員へ問診を行い、当該問診の結果に基づいて前記表示装置へ表示させる前記病名の候補を限定する問診部
を備えたことを特徴とする請求項１〜３のいずれか一つに記載の車載装置。
【請求項５】
前記問診部は、
前記問診によって限定した前記病名の候補に対応する疾患の可能性を当該問診の結果に基づき算出して前記表示装置へ表示させる
ことを特徴とする請求項４に記載の車載装置。
【請求項６】
前記病名の候補と当該病名に対応した疾患を治療可能な施設とを対応付けた施設情報を記憶する施設情報記憶部と、
前記表示装置によって表示された病名の候補の選択操作を受け付ける選択操作部と
設定された目的地までの経路案内を行うナビゲーション装置に対して、前記選択操作によって選択された病名の候補に対応付けられている前記施設を前記施設情報から検索して目的地として設定する目的地設定部と
を備えたことを特徴とする請求項１〜５のいずれか一つに記載の車載装置。
【請求項７】
前記乗員に関する情報を取得して前記目的地設定部によって目的地として設定された前記施設へ送信する情報送信部
を備えたことを特徴とする請求項６に記載の車載装置。
【請求項８】
前記表示装置によって表示された前記病名の候補を否定する否定操作を受け付ける否定操作部と、
前記否定操作によって否定された前記病名の候補と当該病名の候補を表示する根拠となった前記生体情報の組み合わせとを対応付けた否定操作情報を記憶する否定操作記憶部と、
前記否定操作情報に含まれている前記生体情報の組み合わせが前記情報取得部によって取得された場合に、当該生体情報の組み合わせに対応付けられている前記病名の候補の表示を禁止する表示禁止部と
を備えたことを特徴とする請求項１〜７のいずれか一つに記載の車載装置。
【発明の詳細な説明】
【技術分野】
【０００１】
本発明は、車載装置に関する。
【背景技術】
【０００２】
従来、車両の乗員の健康状態を診断することができる車載装置が知られている。たとえば、特許文献１には、乗員の体温や脈拍、血圧等の生体情報を検出するセンサを車両へ設けておき、センサによって検出した生体情報に基づいて乗員の健康状態を診断する車載装置が記載されている。
【０００３】
かかる特許文献１に記載の車載装置は、乗員の平時（健康時）の生体情報を予め記憶した記憶部を備えている。そして、車載装置は、センサによって乗員から検出した生体情報と記憶部によって記憶されている平時の生体情報とを比較する。
【０００４】
続いて、車載装置は、センサによって乗員から検出した生体情報と記憶部によって記憶されている平時の生体情報との差分の絶対値が所定の閾値よりも大きい場合に、乗員の健康状態を異常と診断する。また、車載装置は、乗員の健康状態を異常と診断した場合、乗員に対し、車内モニタによって警報を発する。
【先行技術文献】
【特許文献】
【０００５】
【特許文献１】特開２０１０−０５７６６４号公報
【発明の概要】
【発明が解決しようとする課題】
【０００６】
しかしながら、特許文献１に記載の車載装置は、健康状態を異常と診断した場合に、乗員へ適切な対応をとらせることが困難であるという問題があった。
【０００７】
すなわち、特許文献１に記載の車載装置では、乗員は、車内モニタによって発せられる警報によって健康状態の異常を認識することはできるが、その後、健康状態の異常に対して如何なる対応をとるべきかを判断することができない。
【０００８】
このことから、乗員の健康状態を異常と診断した場合に、乗員へ容易に適切な対応を取らせることができる車載装置をいかにして実現するかが大きな課題となっている。
【０００９】
そこで、本発明は、乗員の健康状態を異常と診断した場合に、乗員へ容易に適切な対応を取らせることができる車載装置を提供することを目的とする。
【課題を解決するための手段】
【００１０】
上述した課題を解決し、目的を達成するために、本発明は、車両の乗員の健康状態を診断する車載装置であって、前記車両内で前記乗員の生体情報を取得する情報取得部と、前記情報取得部によって取得された前記生体情報を異常と診断する条件と病名の候補とが対応付けられた病名候補情報を記憶する病名候補記憶部と、前記情報取得部によって取得された前記生体情報が満たす前記条件へ対応付けられている病名の候補を前記病名候補情報から検索して表示装置へ一覧表示させる候補検索部とを備えたことを特徴とする。
【発明の効果】
【００１１】
本発明によれば、乗員の健康状態を異常と診断した場合に、乗員へ容易に適切な対応を取らせることができるという効果を奏する。
【図面の簡単な説明】
【００１２】
【図１】図１は、本発明に係る健診手法の概要を示す図である。
【図２】図２は、本実施例に係る車載装置が備える各構成要素の配置の一例を示す図である。
【図３】図３は、本実施例に係る車載装置の構成を示すブロック図である。
【図４】図４は、本実施例に係る病名候補情報の一例を示す図である。
【図５】図５は、本実施例に係る問診情報の一例を示す図である。
【図６】図６は、本実施例に係る車載装置による表示例を示す図である。
【図７】図７は、本実施例に係る車載装置の制御部で実行される処理を示すフローチャートである。
【図８】図８は、本実施例に係る候補検索部が生体情報の時間変化率に基づいて病名候補の特定を行う場合の一例を示す図である。
【図９】図９は、変形例１に係る車載装置を含む健診システムを示す図である。
【図１０】図１０は、変形例２に係る車載装置を含む健診システムを示す図である。
【発明を実施するための形態】
【００１３】
以下に添付図面を参照して、本発明に係る健診手法を適用した車載装置の実施例を詳細に説明する。なお、以下では、本発明に係る健診手法の概要について図１を用いて説明した後に、本発明に係る健診手法を適用した車載装置についての実施例を図２〜図１０を用いて説明することとする。
【００１４】
図１は、本発明に係る健診手法の概要を示す図である。図１に示すように、本発明に係る健診手法（以下、「本健診手法」という）は、車載装置によって車両の乗員の健康状態を診断するものである。なお、以下では、健診対象者が車両の運転者である場合について説明するが、健診対象者は、運転者以外の乗員であってもよい。
【００１５】
本健診手法では、まず、車両に設けた各種センサによって車載装置が運転者から運転者の健康状態を示す複数種類の生体情報を取得して記憶する（ステップＳ１）。具体的には、車載装置は、運転者の体温、体重、血圧、脈拍数、発汗量等を取得する。
【００１６】
続いて、車載装置は、取得した最新の生体情報と過去に同一の運転者から取得して記憶した健康時の生体情報とを比較して運転者の健康状態が異常か否かを診断する。また、車載装置は、取得した生体情報を異常と診断する条件と病名の候補（以下、「病名候補」という）とを対応付けた病名候補情報を予め記憶している。
【００１７】
そして、車載装置は、運転者の健康状態を異常と診断した場合に、運転者から取得した最新の生体情報が満たす条件へ対応付けられている病名候補を病名候補情報から検索する（ステップＳ２）。
【００１８】
ここで、車載装置は、たとえば、病名ＡＡＡ、ＢＢＢ、ＣＣＣという３種類の病名候補を検索した場合、運転者に対して問診を行う（ステップＳ３）。すなわち、車載装置は、複数の病名候補毎に、健診対象者へ行う複数種類の問診内容が対応付けられた問診情報を予め記憶している。
【００１９】
そして、車載装置は、ステップＳ２で検索された病名候補が複数存在する場合、検索した病名候補に対応付けられている問診の内容を問診情報から検索し、運転者に対して病名候補毎に、問診を行う。
【００２０】
続いて、車載装置は、問診の結果に基づいて病名候補の絞り込みを行う（ステップＳ４）。ここで、車載装置は、たとえば、問診の結果に基づいて運転者が患っている疾患の病名がＣＣＣではないと診断した場合、絞り込んだ病名候補、すなわちＡＡＡという病名候補とＢＢＢという病名候補とを表示装置へ一覧表示させる（ステップＳ５）。
【００２１】
このように、本健診手法では、車載装置が運転者から取得した運転者の生体情報に基づいて運転者の健康状態を診断して運転者が患っている疾患の病名候補を検索する。さらに、車載装置は、運転者に対して問診を行うことで病名候補を絞り込む。これにより、本健診手法によれば、運転者が患っている可能性の高い疾患の病名候補を的確に絞り込むことができる。
【００２２】
しかも、本健診手法では、車載装置による問診によって絞り込まれた病名候補を表示装置へ表示させる。このため、運転者は、表示装置へ表示された病名候補によって自身が患っている可能性のある疾患の病名を認識することができる。
【００２３】
これにより、運転者は、表示された病名に対応した薬を薬局で購入したり、病名に対応した疾患を治療可能な医療施設で治療を受けたり等の適切な対応を容易にとることができる。
【００２４】
また、車載装置は、問診の結果に基づいて絞り込んだ病名候補に対応する疾患の可能性を算出して病名候補とともに表示装置へ表示させる。これにより、運転者は、表示された病名候補のうち比較的症状が軽い疾患の可能性が最も高い場合には、安心感を得ることができる。
【００２５】
一方、運転者は、表示された病名候補のうち比較的症状が重い疾患の可能性が最も高い場合には、かかる疾患に対して迅速かつ適切な対応をとることができる。なお、車載装置は、問診による絞り込みを行うまでもなく病名候補が決定した場合、運転者から取得した生体情報に基づいて病名に対応する疾患の可能性を算出し、病名候補とともに表示させることもできる。
【００２６】
さらに、車載装置は、病名候補毎に、各病名に対応する疾患を治療可能な施設が対応付けられた施設情報を記憶している。そして、車載装置は、一覧表示させた病名候補に対応付けられている施設を施設情報から検索して病名候補とともに表示装置へ表示させる。
【００２７】
これにより、本健診手法によれば、健康状態を異常と診断した場合に、何処の施設で診察を受ければよいかを運転者に対して容易に認識させることができる。
【００２８】
また、車載装置は、ナビゲーション装置を備えた車両へ搭載されている場合、表示装置へ一覧表示させた病名候補から運転者によって選択された病名の候補に対応付けられている施設を施設情報から検索し、ナビゲーション装置へ目的地として設定する。
【００２９】
これにより、本健診手法によれば、運転者によって選択された病名候補に対応する疾患を治療可能な施設まで運転者を迅速かつ的確に案内することができる。なお、車載装置が記憶している病名候補情報および問診情報の内容は、変更や更新を行うことができる。かかる点については、図９を用いて後述する。
【００３０】
以下では、図２〜図１０を用いて本健診手法を適用した車載装置についての実施例を詳細に説明する。以下に示す実施例では、設定された目的地までの経路案内を行うナビゲーション装置が設けられた車両に搭載された車載装置について説明するが、本実施例に係る車載装置は、ナビゲーション装置が設けられていない車両へも搭載することができる。
【実施例】
【００３１】
まず、図２を用いて本実施例に係る車載装置１が備える各構成要素の配置の一例について説明する。図２は、本実施例に係る車載装置１が備える各構成要素の配置の一例を示す図である。なお、以下では、車両の運転者の健康状態を診断（以下、「健診」という）する車載装置１を例に挙げて説明するが、本発明に係る車載装置の健診対象者は、運転者に限定するものではない。
【００３２】
図２に示すように、車載装置１は、本体１０と、本体１０に接続されたセンサ２１、マイク２２、カメラ２３、スピーカ２４、操作部２５とを備えている。本体１０は、たとえば、運転席と助手席との間のスペースに設けられるものであり、健診処理を行う。
【００３３】
かかる本体１０は、表示装置５とも接続されており、表示装置５へ健診結果等の情報を表示させる処理も行う。また、本体１０は、ナビゲーション装置６とも接続されており、ナビゲーション装置６に対して目的地を設定する処理も行う。なお、本体１０の具体的構成については、図３を用いて後述する。
【００３４】
センサ２１は、たとえば、運転席のシートやハンドル等に設けられるものであり、運転者の生体情報を取得して本体１０へ出力する。なお、運転者以外の乗員の健診を行う車載装置の場合、かかるセンサ２１は、運転席以外の座席に着座する乗員から各生体情報を取得可能な箇所に適宜設けられる。
【００３５】
マイク２２、カメラ２３、スピーカ２４は、たとえば、ハンドル前方のダッシュボード上に設けられる。マイク２２は、集音した音声を本体１０へ出力する。また、カメラ２３は、撮像した映像を本体１０へ出力する。また、スピーカ２４は、本体１０から入力される音声を出力する。
【００３６】
なお、運転者以外の乗員の健診を行う車載装置の場合、マイク２２は、健診対象者の声を集音可能な箇所に適宜設けられ、カメラ２３は、健診対象者を撮像可能な箇所に適宜設けられる。
【００３７】
また、操作部２５は、運転者が運転席に着座した状態で操作可能な位置、たとえば、ハンドルの脇等に設けられるものであり、運転者の操作を受け付けて操作に応じた信号を本体１０へ出力する。なお、運転者以外の乗員の健診を行う車載装置の場合、操作部２５は、各健診対象者が操作可能な箇所にそれぞれ設けられる。
【００３８】
次に、図３を用いて車載装置１の構成について具体的に説明する。図３は、本実施例に係る車載装置１の構成を示すブロック図である。図３に示すように、車載装置１は、センサ２１、マイク２２、カメラ２３、スピーカ２４、操作部２５、制御部３０、記憶部４０を備えている。なお、図２に示す本体１０は、図３に示す制御部３０および記憶部４０を含むものである。
【００３９】
また、同図に示す表示装置５は、たとえば、液晶表示装置等の表示デバイスであり、車載装置１およびナビゲーション装置６から入力される映像を表示する。また、同図に示すナビゲーション装置６は、ＧＰＳ（Global  Positioning  System）衛星から信号を受信して車両の現在位置を表示装置５へ表示させるとともに、目的地が設定された場合には、目的地までの走行経路を表示装置５へ表示させて経路案内を行う装置である。
【００４０】
センサ２１は、運転者の生体情報を取得して制御部３０へ出力する装置である。同図では、説明を容易にするため一台のセンサ２１のみを記載しているが、車載装置１には、取得する生体情報の種別毎に機能の異なる複数のセンサ２１が設けられている。
【００４１】
そして、各センサ２１は、たとえば、運転者の体温、体重、血圧、脈拍、心拍、発汗量等の各生体情報をそれぞれ取得して制御部３０へ出力する。
【００４２】
マイク２２は、車両内の音声を集音して制御部３０へ出力する装置であり、特に、運転者の発する音声を集音して制御部３０へ出力する。カメラ２３は、車両内を撮像する撮像装置であり、特に、運転者の首から上の部分を撮像し、撮像した映像を制御部３０へ出力する。
【００４３】
スピーカ２４は、制御部３０から入力される音声を出力する装置であり、特に、制御部３０が後述の問診を行う場合に、運転者に対する質問事項等を出音する。なお、問診の具体例については、図５を用いて後述する。
【００４４】
操作部２５は、運転者が各種情報の入力を行うために操作する操作装置であり、操作に対応した操作信号を制御部３０や表示装置５へ出力する。かかる操作部２５は、たとえば、運転者の操作に基づき、運転者の氏名、年齢、持病等の個人情報を制御部３０へ出力する。
【００４５】
なお、同図では、操作部２５と表示装置５とを別体として記載しているが、表示装置５がタッチパネル機能を備えている場合には、操作部２５と表示装置５とを一体に構成することもできる。
【００４６】
記憶部４０は、フラッシュメモリ等の不揮発性記憶デバイスによって構成されており、患者情報４１、病名候補情報４２、問診情報４３、施設情報４４等を記憶している。患者情報４１は、運転者から取得された現在および過去の生体情報や運転者により自己申告された運転者の個人情報等が記憶される。
【００４７】
病名候補情報４２は、運転者から取得された生体情報を異常と診断する条件と病名の候補（以下、「病名候補」という）とが対応付けられた情報である。なお、かかる病名候補情報４２の具体例については、図４を用いて後述する。
【００４８】
問診情報４３は、病名候補と、運転者等に対して行う問診の内容（以下、「問診内容」という）と、問診結果に基づいて病名候補を限定するための病名限定条件とが対応付けられた情報である。なお、かかる問診情報の具体例については、図５を用いて後述する。施設情報４４は、病名候補に対応する疾患を治療可能な医療施設名および所在地を示す情報である。
【００４９】
制御部３０は、車載装置１全体の動作を統括する処理部であり、情報取得部３１と、候補検索部３２と、問診部３３と、目的地設定部３４と、情報送信部３５とを備えている。
【００５０】
情報取得部３１は、各センサ２１からそれぞれ入力される生体情報を取得して記憶部４０へ出力し、患者情報４１の記憶領域へ記憶させる処理部である。
【００５１】
候補検索部３２は、情報取得部３１によって取得された最新の生体情報を患者情報４１から読み出し、最新の生体情報と患者情報４１に含まれている運転者の過去の生体情報とに基づいて最新の生体情報が異常か否かを判定する。
【００５２】
たとえば、候補検索部３２は、過去に取得された生体情報から算出した健康時の生体情報の値と直近に取得された生体情報の値との差分の絶対値が予め設定した閾値を超えていた場合に、最新の生体情報を異常と診断する。
【００５３】
続いて、候補検索部３２は、最新の生体情報を異常と診断した場合、最新の生体情報が満たす条件へ対応付けられている病名候補を病名候補情報４２から検索する。そして、候補検索部３２は、検索した病名候補が１つであった場合、検索した病名候補を表示装置５へ表示させる。一方、候補検索部３２は、検索した病名候補が複数存在した場合、検索した病名候補を問診部３３へ出力する。
【００５４】
なお、候補検索部３２は、検索した候補が複数存在した場合に、検索した全ての病名候補を表示装置５へ表示させるように構成することもできる。かかる場合、候補検索部３２は、検索した病名毎に各病名に対応する疾患の可能性（％）を算出して病名候補とともに表示させる。なお、かかる点については、図４用いて後述する。
【００５５】
ここで、図４を用いて病名候補情報４２および候補検索部３２による病名候補の検索手順の一例について説明する。図４は、本実施例に係る病名候補情報の一例を示す図である。図４に示すように、病名候補情報４２は、生体情報と異常診断条件と病名候補とがそれぞれ対応付けられた情報である。
【００５６】
そして、候補検索部３２は、最新の生体情報を異常と診断した場合、かかる病名候補情報４２を記憶部４０から読み出して最新の生体情報が当てはまる異常診断条件に対応付けられている病名候補を検索する。
【００５７】
たとえば、候補検索部３２は、体温を示す生体情報が３７℃以上であった場合、風邪、インフルエンザ、肺炎等の病名候補を検索する。また、候補検索部３２は、心臓の収縮期の血圧（最高血圧）を示す生体情報が１３０ｍｍＨＧ以上の場合、高血圧症等の病名候補を検索し、心臓の拡張期の血圧（最低血圧）を示す生体情報が８５ｍｍＨＧ未満の場合、低血圧症等の病名候補を検索する。
【００５８】
また、候補検索部３２は、脈拍数を示す生体情報が毎分１５０回以上の場合、突発性頻脈症や心房細動等の病名候補を検索し、毎分５０回未満の場合、シックサイナス等の病名候補を検索する。
【００５９】
また、候補検索部３２は、心拍の頻度が不規則であった場合、不整脈等の病名候補を検索する。また、候補検索部３２は、発汗量を示す生体情報が健康時の発汗量に比べて多量であった場合、自律神経失調症やバセドー病等の病名候補を検索する。
【００６０】
なお、候補検索部３２は、表示させた病名候補に対応する疾患を運転者が患っている可能性（％）を算出して病名候補とともに表示装置５へ表示させることもできる。たとえば、候補検索部３２は、最新の生体情報を異常と診断した場合、最新の生体情報の値と異常診断条件の値との差分が大きいほど高い可能性（％）となる演算処理を行って可能性（％）を算出し、表示装置５へ表示させる。
【００６１】
また、図４に示す病名候補情報４２は、車載装置１が記憶している病名候補情報４２の一部である。すなわち、車載装置１は、健診対象者の年齢、性別、体重等毎にそれぞれ病名候補情報４２を記憶している。
【００６２】
たとえば、女性用の病名候補情報４２では、体温の異常診断条件が図４に示す病名候補情報４２よりも１℃低くなっているほか、病名候補として女性特有の病名候補も含まれている。また、高齢者用の病名候補情報４２では、血圧の異常診断条件が図４に示す値よりも１０ｍｍＨＧ高くなっているほか、高齢者特有の病名候補も含まれている。
【００６３】
そして、候補検索部３２は、患者情報４１に含まれている健診対象者（ここでは、運転者）の個人情報に基づいて判別した運転者の年齢、性別、体重に対応する病名候補情報４２を用いて病名候補の検索を行う。
【００６４】
なお、病名候補情報４２の内容は、固定ではなく変更や更新を行うことができる。かかる病名候補情報４２の変更や更新については、図９を用いて後述する。
【００６５】
このように、候補検索部３２は、運転者から取得された生体情報から推測される病名候補を検索し、検索した病名候補が１つであった場合に、病名候補を表示装置５へ表示させる。これにより、運転者は、表示された病名候補が風邪等の比較的症状が軽い疾患であった場合、自身の健康状態に対して必要以上に不安を感じることがないため、安全に車両の運転を継続することができる。
【００６６】
一方、運転者は、表示された病名候補が比較的症状の重い疾患であった場合、疾患に応じた適切な対応をとることができる。たとえば、運転者は、車両を停車させて安静にしたり、迅速に医療施設で治療を受けたりすることができる。
【００６７】
また、候補検索部３２が病名候補とともに、病名に対応する疾患である可能性（％）を表示させた場合、運転者は、表示された疾患の可能性（％）を参考にして疾患に対する適切な対応をとることができる。
【００６８】
図３の説明に戻り、問診部３３は、候補検索部３２によって複数の病名候補が検索された場合に運転者に対して問診を行い、問診結果に基づいて表示装置５へ表示させる病名候補の限定（絞り込み）を行う処理部である。
【００６９】
具体的には、問診部３３は、候補検索部３２によって検索された病名候補に対応付けられている問診内容を問診情報４３から検索して問診を行う。ここで、図５を用いて問診情報４３および問診部３３による問診手順の一例について説明する。図５は、本実施例に係る問診情報４３の一例を示す図である。
【００７０】
図５に示すように、問診情報４３は、病名と問診内容と病名限定条件とが対応付けられた情報である。そして、問診部３３は、検索された複数の病名候補が候補検索部３２から入力された場合、かかる問診情報４３を記憶部４０から読み出し、入力された病名候補に対応付けられている問診内容を検索して問診を行う。
【００７１】
続いて、問診部３３は、問診の結果に基づいて病名の絞り込みを行う。たとえば、図５に示すように、問診部３３は、風邪という病名候補が入力された場合、「１．発熱期間は、３日未満ですか？」という質問をスピーカ２４から出力させる。
【００７２】
続いて、問診部３３は、かかる質問に対してＹｅｓという回答がマイク２２から入力された場合、風邪の可能性ありと診断する。同様に、問診部３３は、スピーカ２４から「２．鼻水はでますか？」という質問を出力させ、マイク２２からＹｅｓという回答が入力された場合、風邪の可能性ありと診断する。
【００７３】
また、問診部３３は、健診対象者の身体各部の色や健診対象者の発する音に基づいて病名候補を絞り込むプログラムを記憶しており、かかるプログラムを実行することによっても病名候補の絞り込みを行う。
【００７４】
たとえば、問診部３３は、スピーカ２４から「３．口を開けて喉を見せてください。」という依頼を出力させ、その後、カメラ２３から入力される運転者の口内の映像で喉が正常色よりも赤い場合、風邪の可能性ありと診断する。
【００７５】
また、問診部３３は、スピーカ２４から「４．咳をしてみてください。」という依頼を出力させ、その後、マイク２２から入力される音声に痰の絡む音が含まれていた場合、風邪の可能性ありと診断する。
【００７６】
また、問診部３３は、スピーカ２４から「５．喉からの咳ですか？」という質問を出力させ、マイク２２からＹｅｓという回答が入力された場合、風邪の可能性ありと診断する。そして、問診部３３は、風邪に関して複数項目（たとえば、１０項目）の問診を行い、風邪の可能性ありと診断した項目が所定数（たとえば、２項目）以下であった場合に表示させる病名候補から風邪を削除する。
【００７７】
また、問診部３３は、候補検索部３２からインフルエンザ、肺炎、結膜炎、貧血症等の他の病名候補が入力された場合も同様に、図５に示す各病名に対応付けられた問診内容の問診を行い、問診結果に基づいて表示させる病名候補の限定を行う。なお、問診情報４３の内容は、固定ではなく変更や更新を行うことができる。かかる問診情報４３の変更や更新については、図９を用いて後述する。
【００７８】
このように、問診部３３は、体調に関する質問に対する運転者の回答だけでなく、運転者の身体各部の色や運転者の発する音に基づき、運転者が患っている疾患を推測して表示させる病名候補の絞り込みを行う。このため、問診部３３は、運転者が患っている可能性がより高い疾患の病名候補を限定的に一覧表示させることができる。
【００７９】
また、問診部３３は、上記のように、運転者に対して音声による質問や依頼を行い、運転者が発する音声や運転者を撮像した映像に基づいて問診を行う。これにより、問診部３３は、運転者が運転中であっても運転者の視線を車両前方からそらさせることなく問診を行うことができる。このため、運転者は、問診中であっても安全な運転を継続することができる。
【００８０】
なお、問診部３３は、問診に関する質問を表示装置５へ表示させ、質問に対する回答を操作部２５から受け付けるように構成することもできる。かかる構成とすることで、問診部３３による運転者の回答の誤認識を抑制することができる。ただし、かかる構成とする場合、問診部３３による問診は、停車中に行うことが望ましい。
【００８１】
また、問診部３３は、問診によって限定した病名候補に対応する疾患の可能性（％）を問診結果に基づき算出して表示装置５へ表示させる。すなわち、問診部３３は、問診結果に基づいて疾患の可能性（％）を算出するプログラムを記憶しており、かかるプログラムを実行することによって病名候補毎に疾患の可能性（％）を算出する。
【００８２】
たとえば、問診部３３は、各病名候補について行った各問診の結果、疾患の可能性ありと診断する毎に点数を加算して病名候補毎の合計点数を算出し、各合計点数へ所定の係数を乗算して疾患の可能性（％）を算出する。
【００８３】
そして、問診部３３は、こうして算出した疾患の可能性（％）を対応する病名候補とともに表示装置５へ表示させる。なお、問診部３３が表示装置５へ表示させる画像については、図６を用いて後述する。
【００８４】
また、問診部３３が疾患の可能性ありと診断した場合に加算する点数は、問診内容毎に重み付けを変えてもよく、かかる重み付けを健診対象者が操作部２５を操作して変更するように車載装置１を構成してもよい。
【００８５】
このように、問診部３３は、運転者が患っている可能性のある病名候補を絞り込んで表示装置５へ一覧表示させるとともに、各病名候補に対応する疾患の可能性（％）を表示させる。これにより、問診部３３は、運転者が患っている可能性のある病名候補と疾患の可能性とを運転者へ的確に認識させることができる。
【００８６】
図３の説明に戻り、問診部３３は、表示装置５へ病名候補を一覧表示させる場合に、表示させた病名候補に対応する疾患を治療可能な医療施設を合わせて表示させる。具体的には、問診部３３は、ナビゲーション装置６から車両の現在位置を取得する。
【００８７】
続いて、問診部３３は、表示装置５へ表示させる病名候補に対応する疾患を治療可能な医療施設のうち車両の現在位置から最も近い医療施設を施設情報４４から検索して表示装置５へ表示させる。
【００８８】
これにより、運転者は、自身が患っている可能性のある疾患を何処の医療施設で治療すればよいのかを容易に認識することができる。続いて、問診部３３は、表示装置５へ表示させた病名候補と施設情報４４から検索した医療施設とを対応付けた情報を目的地設定部３４へ出力する。
【００８９】
目的地設定部３４は、表示装置５へ表示された病名候補の一覧から選択された病名候補に対応付けられている医療施設を目的地としてナビゲーション装置６へ設定する処理部である。
【００９０】
具体的には、目的地設定部３４は、問診部３３から入力される情報と操作部２５から入力される信号とに基づいて運転者によって選択された病名候補を判別する。続いて、目的地設定部３４は、運転者によって選択された病名に対応付けられている医療施設を施設情報４４から検索し、検索した医療施設の所在地を示す情報を目的地としてナビゲーション装置６へ設定する。
【００９１】
これにより、ナビゲーション装置６は、運転者によって選択された病名候補に対応する疾患を治療可能な医療施設のうち、運転者の現在地を基準にした最寄りの医療施設まで運転者を的確に案内することができる。また、目的地設定部３４は、目的地として設定した医療施設の所在地を示す情報を情報送信部３５へ出力する。
【００９２】
情報送信部３５は、運転者に関する情報を目的地設定部３４によって目的地として設定された医療施設へ送信する処理部である。具体的には、情報送信部３５は、運転者に関する個人情報および運転者から取得された生体情報（過去の生体情報を含む）を患者情報４１から読み出し、目的地設定部３４によって目的地として設定された医療施設へ送信する。
【００９３】
これにより、ナビゲーション装置６へ目的地として設定された医療施設では、患者である運転者が到着する前に、運転者の健康状態を判断して事前に診察や治療の準備を行うことができる。なお、情報送信部３５は、診断結果を運転者の自宅へ送信するように構成することもできる。かかる構成とすれば、自宅に居る運転者の家族は、運転者が帰宅する前に体調を崩した運転者を迎える準備を前もって行うことができる。
【００９４】
次に、図６を用いて問診部３３が表示装置５へ表示させる画像の一例について説明する。図６は、本実施例に係る車載装置１による表示例を示す図である。図６に示すように、問診部３３は、問診によって絞り込んだ病名候補の一覧を表示装置５へ表示させる。
【００９５】
具体的には、問診部３３は、問診によって絞り込んだ病名候補と、各病名候補に対応する疾患の可能性（％）と、各疾患を治療可能な医療施設の名称とを疾患の可能性（％）が高い順に１つの画面上へ一覧表示させる。これにより、運転者は、病名候補の表示位置によって自身が患っている可能性の最も高い疾患の病名候補を直感的に認識することができる。
【００９６】
また、病名候補一覧の画像中には、病名候補を選択するためのカーソル５１を表示させる。かかるカーソル５１は、たとえば、選択中の病名候補と疾患の可能性（％）と医療施設名とを囲む実線として表示させる。なお、選択されていない病名候補については点線で囲んで表示させる。
【００９７】
表示装置５は、操作部２５から入力される選択操作に対応した信号に基づいてカーソル５１の表示位置を移動させるように設定されている。すなわち、運転者は、操作部２５に対して選択操作を行うことで病名候補を選択し、決定操作を行うことで病名候補の決定を行うことができる。
【００９８】
そして、操作部２５は、運転者によって病名候補の選択操作および決定操作が行われた場合に、選択操作および決定操作に対応した信号を目的地設定部３４へ出力する。
【００９９】
ここで、前述のように病名候補一覧の画像では、疾患の可能性（％）によって病名候補の表示位置が決定されているため、目的地設定部３４は、操作部２５から入力される信号に基づいてカーソル５１によって選択された病名候補を判断する。そして、目的地設定部３４は、運転者によって選択（決定）された病名候補に対応する医療施設を目的地としてナビゲーション装置６へ送信し、目的地として設定する。
【０１００】
次に、図７を用いて車載装置１の制御部３０で実行される処理について説明する。図７は、本実施例に係る車載装置１の制御部３０で実行される処理を示すフローチャートである。制御部３０では、車載装置１へ電源が投入されている間、図７に示す一連の処理が繰り返し実行される。
【０１０１】
具体的には、車載装置１へ電源が投入されると、図７に示すように、情報取得部３１は、生体情報を取得し（ステップＳ１０１）、記憶部４０へ記憶させる。続いて、候補検索部３２は、記憶部４０の患者情報４１から生体情報を読み出し、最新の生体情報と過去の生体情報とを比較して最新の生体情報が異常か否かを診断する（ステップＳ１０２）。
【０１０２】
そして、候補検索部３２は、最新の生体情報を正常と診断した場合（ステップＳ１０２，Ｎｏ）、処理をステップＳ１０１へ移す。一方、候補検索部３２は、最新の生体情報を異常と診断した場合（ステップＳ１０２，Ｙｅｓ）、記憶部４０から病名候補情報４２を読み出し、最新の生体情報と比較して病名候補の検索を行う（ステップＳ１０３）。
【０１０３】
続いて、候補検索部３２は、検索した病名候補が複数あるか否かを判定する。（ステップＳ１０４）。そして、候補検索部３２は、検索した病名候補を１つと判定した場合（ステップＳ１０４，Ｎｏ）、検索した１つの病名候補を表示装置５へ表示させ（ステップＳ１１３）、処理をステップＳ１１０へ移す。
【０１０４】
一方、候補検索部３２は、検索した病名候補が複数あると判定した場合（ステップＳ１０４，Ｙｅｓ）、検索した病名候補を問診部３３へ出力する。続いて、問診部３３は、記憶部４０から問診情報４３を読み出し、候補検索部３２から入力された病名候補に対応する問診を運転者に対して行う（ステップＳ１０５）。
【０１０５】
続いて、問診部３３は、問診の結果に基づいて表示装置５へ表示させる病名候補の絞り込みを行い（ステップＳ１０６）、絞り込んだ病名候補が複数あるか否かを判定する（ステップＳ１０７）。
【０１０６】
そして、問診部３３は、絞り込んだ病名候補を１つと判定した場合（ステップＳ１０７，Ｎｏ）、絞り込んだ１つの病名候補を表示装置５へ表示させ（ステップＳ１１３）、処理をステップＳ１１０へ移す。
【０１０７】
一方、問診部３３は、絞り込んだ病名候補が複数あると判定した場合（ステップＳ１０７，Ｙｅｓ）、問診結果に基づいて病名候補に対応する疾患の可能性（％）を算出し（ステップＳ１０８）、病名候補および算出した可能性（％）を表示装置５へ表示させる（ステップＳ１０９）。
【０１０８】
このとき、問診部３３は、絞り込んだ病名候補に対応する疾患を治療可能な医療施設のうち、運転者の現在地を基準にした最寄りの医療施設を施設情報４４から読み出し病名候補および疾患の可能性（％）とともに表示装置５に表示させる。
【０１０９】
続いて、目的地設定部３４は、病名候補の選択操作があったか否かを判定し（ステップＳ１１０）、選択操作がなかったと判定した場合（ステップＳ１１０，Ｎｏ）、処理を終了する。一方、目的地設定部３４は、選択操作があったと判定した場合（ステップＳ１１０，Ｙｅｓ）、選択操作によって選択された病名に対応する疾患を治療可能な医療施設を目的地としてナビゲーション装置６へ設定する（ステップＳ１１１）。
【０１１０】
そして、目的地設定部３４は、目的地として設定した医療施設に関する情報を情報送信部３５へ出力する。続いて、情報送信部３５は、記憶部４０から運転者に関する患者情報４１を読み出し、目的地設定部３４によって目的地として設定された医療施設へ送信し（ステップＳ１１２）、処理を終了する。
【０１１１】
ところで、候補検索部３２は、最新の生体情報が病名候補情報４２の異常診断条件を満たした場合に病名候補を特定するが、生体情報の時間変化率に基づき、より早期に病名候補の特定を行うように構成することもできる。
【０１１２】
ここで、図８を用いて生体情報の時間変化率に基づいて病名候補を特定する場合について説明する。図８は、本実施例に係る候補検索部３２が生体情報の時間変化率に基づいて病名候補の特定を行う場合の一例を示す図である。
【０１１３】
候補検索部３２は、たとえば、運転者の体温を示す生体情報について、図８に実線のグラフで示すように、予め所定の時間変化率を設定しておくことができる。そして、候補検索部３２は、図８に二点鎖線で示すように、運転者から取得した体温が所定の時間変化率よりも高い変化率で上昇した場合、通常、図８に一点鎖線で示すように、体温が３７℃に達した時刻Ｔ２で風邪等と診断するところを、体温が３６．５℃に達した時刻Ｔ１で風邪等と診断する。
【０１１４】
これにより、候補検索部３２は、運転者の体温が短時間で急激に上昇した場合、運転者の体温が運転者へ体調不良を感じさせる体温まで上昇する前に風邪等と診断することができる。そして、かかる場合、候補検索部３２は、病名候補を検索（特定）した時点（時刻Ｔ１）で病名候補を運転者へ報知する。
【０１１５】
これにより、運転者は、体調不良を感じる前に疾患の発症を予測することができるため、疾患に対して事前に適切な対応をとることができる。
【０１１６】
なお、これまで説明してきた車載装置１は、本実施例に係る車載装置１の一例にすぎない。ここで、図９および図１０を用いて本実施例に係る車載装置１の変形例１および変形例２について説明する。
【０１１７】
図９は、変形例１に係る車載装置を含む健診システムを示す図であり、図１０は、変形例２に係る車載装置を含む診断システムを示す図である。変形例１に係る車載装置は、記憶部に記憶している患者情報、病名候補情報、問診情報、施設情報の更新および変更を行うことができるように構成している。
【０１１８】
具体的には、車載装置は、運転者の自宅および医療施設から各種情報を受信する情報受信部と、情報受信部によって受信された情報に基づいて患者情報、病名候補情報、問診情報、施設情報の内容を更新する情報更新部とを備えている。
【０１１９】
そして、図９に示すように、車載装置の情報受信部は、自宅で医療機器により取得された生体情報を自宅の医療機器から受信する（ステップＳ１０）。続いて、車載装置の情報更新部は、情報受信部によって受信された生体情報を患者情報へ付加することによって患者情報の更新を行う（ステップＳ１１）。
【０１２０】
これにより、車載装置は、車両内で取得した生体情報に加え、家庭の医療機器から受信した生体情報を用いて運転者の健診を行うことができるため、より高い精度で病名候補を検索することができる。
【０１２１】
また、車載装置の情報受信部は、医療施設から最新の病名候補情報、問診情報、施設情報を受信する（ステップＳ２０）。続いて、車載装置の情報更新部は、情報受信部によって受信された情報を用いて病名候補情報、問診情報、施設情報を最新の状態へ更新する（ステップＳ２１）。
【０１２２】
これにより、車載装置は、最新の病名候補情報および問診情報を用いて運転者の健診を行うことができるため、さらに高い精度で病名候補を検索することができる。また、車載装置は、最新の施設情報を用いることで新設された医療機関をナビゲーション装置へ目的地として設定することができる。
【０１２３】
また、車載装置は、運転者による操作部の操作に基づいて病名候補情報や問診情報の内容を変更してユーザ設定するように構成することもできる。具体的には、運転者によるユーザ設定操作を受け付ける設定操作部と、設定操作部がユーザ設定操作を受け付けた場合に、ユーザ設定操作に基づいて病名候補情報の異常診断条件や問診情報の病名限定情報の内容を変更する情報変更部を車載装置へ設ける。
【０１２４】
これにより、車載装置は、運転者がユーザ設定操作を行った場合に（ステップＳ３０）、情報変更部によってユーザが所望する内容となるように異常診断条件や病名限定条件を変更することができる（ステップＳ３１）。
【０１２５】
また、車載装置は、ユーザ設定によって表示装置へ表示させる病名候補を制限するように構成することもできる。具体的には、表示装置によって表示された病名候補を否定する否定操作を受け付ける否定操作部と、否定操作によって否定された病名候補と当該病名候補を表示する根拠となった生体情報の組み合わせとを対応付けた否定操作情報を記憶する否定操作記憶部とを車載装置へ設ける。
【０１２６】
さらに、否定操作情報に含まれている生体情報の組み合わせが情報取得部によって取得された場合に、当該生体情報の組み合わせに対応付けられている病名の候補の表示を禁止する表示禁止部を車載装置へ設ける。
【０１２７】
かかる構成により、運転者は、たとえば、風邪でないにもかかわらず風邪という病名候補が表示された場合に、否定操作部を操作することで、次回、今と同じ健康状態のときに再び病名候補として風邪が表示されないようにユーザ設定を行うことができる（ステップＳ３０）。
【０１２８】
これにより、車載装置では、情報取得部が今と同じ生体情報の組み合わせを取得した場合に、表示禁止部が表示する病名候補の制限を行うことで（ステップＳ３１）、誤った病名候補の表示を行わないようにすることができる。
【０１２９】
次に、変形例２に係る車載装置を含んだ健診システムについて説明する。変形例２に係る健診システムでは、車載装置が搭載された車両、運転者の自宅、医療施設と通信可能に構成した情報管理センタが車載装置に代わって病名候補を検索して車載装置へ表示させる。
【０１３０】
具体的には、図１０に示すように、情報管理センタは、車載装置によって車両内で取得された運転者の生体情報を車両から受信する（ステップＳ４１）。続いて、情報管理センタは、運転者の自宅から自宅の医療機器により取得された運転者の生体情報を受信する（ステップＳ４２）。
【０１３１】
続いて、情報管理センタは、医療施設から最新の病名候補情報、問診情報、施設情報を受信する（ステップＳ４３）。続いて、情報管理センタは、車載装置が搭載された車両、運転者の自宅、医療施設から受信した各種情報に基づき、車両の乗員である運転者の健診を行って病名候補を検索する（ステップＳ４４）。
【０１３２】
続いて、情報管理センタは、検索した病名候補を車載装置へ送信する（ステップＳ４５）。また、情報管理センタは、病名候補の検索を行った後、無線通信によって運転者に対する問診を行い、問診結果に基づいて絞り込んだ病名候補や病名候補に対応する疾患を治療可能な医療施設を車載装置へ送信するように構成することもできる。
【０１３３】
かかる健診システムによれば、車載装置へ患者情報、病名候補情報、問診情報、施設情報等を記憶させる必要がない。また、車載装置へ運転者の健診を行う処理部を設ける必要もない。
【０１３４】
したがって、車載装置は、生体情報を取得して情報管理センタへ送信し、情報管理センタから病名候補や施設情報を受信して表示させる機能のみを備えた簡易かつ安価な構成であっても、図３に示す車載装置１と同様の効果を奏することができる。
【０１３５】
上述した本実施例に係る車載装置によれば、運転者は、医療施設へ行かなくとも車両を運転する度に健診をうけることができる。また、車載装置は、運転者以外の乗員の生体情報を取得して健診を行うように構成することで、たとえば、医療機関へ行きたがらない子供や医療機関まで行くことが困難な老人であっても、車両へ乗車させるだけで容易に簡易な健診を行うことができ、健診結果を日々の健康管理に利用させることができる。
【０１３６】
本実施例に係る車載装置によれば、たとえば、新種のウイルス等が発見された場合であっても、医療施設から最新の病名候補情報や問診情報を取得することによって新種のウイルスによる疾患の病名候補を表示させることができる。
【０１３７】
また、かかる車載装置によれば、頻繁に車両を利用する乗員は、簡易ではあるが頻繁に健診を行うことができるため、早期に疾患を発見することができる。
【０１３８】
また、本実施例に係る車載装置は、病名候補情報や問診情報の内容を季節に応じて各季節特有の疾患に対応した内容となるよう自動的に変更する構成とすることで、たとえば、季節性のインフルエンザ等を的確に判別することができるようになる。
【０１３９】
さらに、本実施例に係る車載装置は、人間に関する病名候補情報や問診情報に加え、ペットに関する病名候補情報や問診情報を記憶させておくことにより、人間のみならず、ペットの健診を行うことも可能となる。
【０１４０】
また、本実施例に係る車載装置は、運転者の症状のレベルを判別し、症状のレベルが所定のレベルを超えた場合に、車両の動作制御に介入するように構成することもできる。たとえば、運転者の症状が所定のレベルを超えて悪化したことを検知した場合、ハザードランプを点滅させてブレーキを作動させ車両を停車させるように車載装置を構成する。
【０１４１】
かかる構成とすることにより、車載装置は、運転者の病状が急激に悪化した場合であっても、交通事故などの二次災害が発生することを防止することができる。なお、かかる場合、車両が停車した時点で消防や警察等へ自動的に通報するように車載装置を構成することが望ましい。
【０１４２】
また、たとえば、運転者の症状が所定のレベルを超えて悪化したことを検知した場合、もよりの安全地帯や駐車場などを目的地としてナビゲーション装置へ自動的に設定するように車載装置を構成することもできる。かかる構成とすれば、車載装置は、ナビゲーション装置によって運転者を安全な停車場所まで案内することができる。
【符号の説明】
【０１４３】
１  車載装置
２１  センサ
２２  マイク
２３  カメラ
２４  スピーカ
２５  操作部
３０  制御部
３１  情報取得部
３２  候補検索部
３３  問診部
３４  目的地設定部
３５  情報送信部
４０  記憶部
４１  患者情報
４２  病名候補情報
４３  問診情報
４４  施設情報
５  表示装置
６  ナビゲーション装置
【図１】
2012120597.tif 000003
【図２】
2012120597.tif 000004
【図３】
2012120597.tif 000005
【図４】
2012120597.tif 000006
【図５】
2012120597.tif 000007
【図６】
2012120597.tif 000008
【図７】
2012120597.tif 000009
【図８】
2012120597.tif 000010
【図９】
2012120597.tif 000011
【図１０】
2012120597.tif 000012